(57)【要約】      （修正有）【課題】目標のカラーパッチを探し易くする技術を提供する。【解決手段】色選択用カラーチャートＣＨＯは、複数のカラーパッチの中から目標色に最も近い色のカラーパッチを選択するためのカラーチャートである。色選択用カラーチャートは、調整対象の色と、該調整対象の色に代わる基準色と、のいずれかの色を表すカラーパッチＰＣＯを対象パッチとする。色選択用カラーチャートでは、対象パッチから色を調整したい方向が表された方向を調整方向とした時、対象パッチから調整方向とは反対の方向よりも、対象パッチから調整方向の方が広い。【選択図】図４
2019009556.tif 000002
【特許請求の範囲】
【請求項１】
複数のカラーパッチの中から目標色に最も近い色のカラーパッチを選択するための色選択用カラーチャートであって、
調整対象の色と、該調整対象の色に代わる基準色と、のいずれかの色を表すカラーパッチを対象パッチとし、前記色選択用カラーチャートにおいて前記対象パッチから色を調整したい方向が表された方向を調整方向として、
前記対象パッチから前記調整方向とは反対の方向よりも、前記対象パッチから前記調整方向の方が広い、色選択用カラーチャート。
【請求項２】
前記対象パッチを示す情報が該対象パッチとは異なる色により表されている、請求項１に記載の色選択用カラーチャート。
【請求項３】
前記対象パッチを示す情報として、前記対象パッチを囲む枠、前記対象パッチに付された文字、前記対象パッチに付された印、及び、前記対象パッチを指し示す矢印の中から選ばれる一以上の情報が表された、請求項１又は請求項２に記載の色選択用カラーチャート。
【請求項４】
前記調整方向を示す情報として、矢印、線、及び、文字の中から選ばれる一以上の情報が表された、請求項１〜請求項３のいずれか一項に記載の色選択用カラーチャート。
【請求項５】
前記調整方向を示す情報として、さらに、色空間の軸方向を表す線が表された、請求項４に記載の色選択用カラーチャート。
【請求項６】
前記対象パッチから前記調整方向とは反対の方向における前記色選択用カラーチャートの端までの距離をＬ１とし、前記対象パッチから前記調整方向における前記色選択用カラーチャートの端までの距離をＬ２とするとき、｛Ｌ１／（Ｌ１＋Ｌ２）｝が０．４以下である、請求項１〜請求項５のいずれか一項に記載の色選択用カラーチャート。
【請求項７】
複数のカラーパッチの中から目標色に最も近い色のカラーパッチを選択するための色選択用カラーチャートを生成する色選択用カラーチャート生成方法であって、
調整対象の色の指定を受け付ける色指定工程と、
所定の色空間において前記調整対象の色を調整する調整方向の設定を受け付ける調整方向設定工程と、
前記調整対象の色と、該調整対象の色に代わる基準色と、のいずれかの色を表す対象パッチから前記調整方向とは反対の方向よりも、前記対象パッチから前記調整方向の方が広くなるように、前記対象パッチを含めて前記カラーパッチを前記色選択用カラーチャートに配置するパッチ配置工程と、を含む、色選択用カラーチャート生成方法。
【請求項８】
前記対象パッチは、前記調整対象の色を表す調整対象色パッチ、及び、前記基準色を表す基準色パッチを含み、
前記色選択用カラーチャートは、前記調整対象色パッチを含む第一のカラーチャート、及び、前記基準色パッチを含む第二のカラーチャートを含み、
前記調整方向設定工程では、前記調整対象の色に基づいて前記基準色を決定し、
前記パッチ配置工程では、
前記調整対象色パッチから前記調整方向とは反対の方向よりも、前記調整対象色パッチから前記調整方向の方が広くなるように、前記調整対象色パッチを含めて前記カラーパッチを前記第一のカラーチャートに配置し、
前記基準色パッチから前記調整方向とは反対の方向よりも、前記基準色パッチから前記調整方向の方が広くなるように、前記基準色パッチを含めて前記カラーパッチを前記第二のカラーチャートに配置する、請求項７に記載の色選択用カラーチャート生成方法。
【請求項９】
前記色空間は、互いに交わる複数の軸を有し、
前記パッチ配置工程では、前記基準色を、前記色空間において前記調整対象の色から前記色空間の軸方向へ移した色に決定する、請求項８に記載の色選択用カラーチャート生成方法。
【請求項１０】
前記パッチ配置工程では、前記第一のカラーチャートに配置するカラーパッチの色を、前記色空間において前記複数の軸に含まれる第一の軸及び第二の軸に沿った仮想平面の色にし、
前記調整方向設定工程では、前記仮想平面に沿った方向となるように前記調整方向の設定を受け付ける、請求項８又は請求項９に記載の色選択用カラーチャート生成方法。
【請求項１１】
前記調整方向設定工程では、前記仮想平面に沿った３以上の方向の中から一部の１以上の方向を前記調整方向に対応する方向として受け付ける、請求項１０に記載の色選択用カラーチャート生成方法。
【請求項１２】
前記複数の軸は、第三の軸を含み、
前記調整方向設定工程では、前記基準色を前記色空間において前記調整対象の色から前記第三の軸に沿って移した色に決定する、請求項８〜請求項１０のいずれか一項に記載の色選択用カラーチャート生成方法。
【請求項１３】
前記調整方向設定工程では、前記第三の軸に沿って前記調整対象の色から前記基準色を移す範囲の指定を受け付け、前記範囲に基づいて前記基準色を決定する、請求項１２に記載の色選択用カラーチャート生成方法。
【請求項１４】
前記調整方向設定工程では、前記対象パッチから前記調整方向とは反対の方向における前記色選択用カラーチャートの端までの距離の程度の指定を受け付け、
前記パッチ配置工程では、前記色選択用カラーチャートにおいて前記距離の程度に基づいた位置に前記対象パッチを配置する、請求項７〜請求項１３のいずれか一項に記載の色選択用カラーチャート生成方法。
【請求項１５】
複数のカラーパッチの中から目標色に最も近い色のカラーパッチを選択するための色選択用カラーチャートを生成するための色選択用カラーチャート生成プログラムであって、
調整対象の色の指定を受け付ける色指定機能と、
所定の色空間において前記調整対象の色を調整する調整方向の設定を受け付ける調整方向設定機能と、
前記調整対象の色と、該調整対象の色に代わる基準色と、のいずれかの色を表す対象パッチから前記調整方向とは反対の方向よりも、前記対象パッチから前記調整方向の方が広くなるように、前記対象パッチを含めて前記カラーパッチを前記色選択用カラーチャートに配置するパッチ配置機能と、をコンピューターに実現させる、色選択用カラーチャート生成プログラム。
【請求項１６】
複数のカラーパッチの中から目標色に最も近い色のカラーパッチを選択するための色選択用カラーチャートを生成するための色選択用カラーチャート生成装置であって、
調整対象の色の指定を受け付ける色指定部と、
所定の色空間において前記調整対象の色を調整する調整方向の設定を受け付ける調整方向設定部と、
前記調整対象の色と、該調整対象の色に代わる基準色と、のいずれかの色を表す対象パッチから前記調整方向とは反対の方向よりも、前記対象パッチから前記調整方向の方が広くなるように、前記対象パッチを含めて前記カラーパッチを前記色選択用カラーチャートに配置するパッチ配置部と、を含む、色選択用カラーチャート生成装置。
【発明の詳細な説明】
【技術分野】
【０００１】
本発明は、色選択用カラーチャート、及び、色選択用カラーチャートを生成する技術に関する。
【背景技術】
【０００２】
インクジェットプリンターをオフセット印刷等といった印刷の校正用途に使う場合、要求される色再現精度（色を正確に再現する度合い）が非常に高い。これを実現する仕組みとしては、ＩＣＣ（International Color Consortium）プロファイルを用いたカラーマネジメントシステムがある。ＩＣＣプロファイルは、印刷機（例えばオフセット印刷機）、インクジェットプリンター、等といったカラー機器の機器依存カラーと機器非依存カラーとの対応関係を表すデータである。印刷機やインクジェットプリンターの機器依存カラーは、例えば、Ｃ（シアン）、Ｍ（マゼンタ）、Ｙ（イエロー）、及び、Ｋ（ブラック）の使用量を表すＣＭＹＫ値で表される。機器非依存カラーは、例えば、機器独立色空間（device independent color space）であるＣＩＥ（国際照明委員会）Ｌ*ａ*ｂ*色空間の色彩値（「*」を省略してＬａｂ値とする。）やＣＩＥ ＸＹＺ色空間の色彩値で表される。
【０００３】
ここで、印刷機のＩＣＣプロファイルを入力プロファイルとし、インクジェットプリンターのＩＣＣプロファイルを出力プロファイルとする。印刷機におけるＣＭＹＫ値（ＣＭＹＫt値とする。）を入力プロファイルに従ってＰＣＳ（Profile Connection Space；プロファイル接続空間）の色彩値（例えばＬａｂ値）に変換すると、この色彩値を出力プロファイルに従ってインクジェットプリンターのＣＭＹＫ値（ＣＭＹＫp値とする。）に変換することができる。ＣＭＹＫp値に従ってインクジェットプリンターで印刷を行うと、インクジェットプリンターで印刷機の色に近い色を再現することができる。実際には、プロファイルの誤差、色測定誤差、プリンターの変動、等により、期待する色が再現できない場合がある。このような場合、ＩＣＣプロファイルを修正することにより、対象の色の変換精度を上げている。
【０００４】
ＩＣＣプロファイルの修正に用いる色彩値を得るため、印刷機やインクジェットプリンターで色選択用カラーチャートを印刷し、測色装置で色選択用カラーチャートの各カラーパッチを測色している。特許文献１に開示された画像処理システムは、全ての色及び全ての階調のパッチが含まれるキャリブレーションチャートを印刷し、このキャリブレーションチャートの各パッチを画像読取ユニットにおいて読み取ることによって測色データを得ている。
【先行技術文献】
【特許文献】
【０００５】
【特許文献１】特開２０１４−８６９３０号公報
【発明の概要】
【発明が解決しようとする課題】
【０００６】
測色装置や画像読取ユニットが無い場合、目視により色選択用カラーチャートのカラーパッチを選択する必要がある。そこで、目標色に最も近いカラーパッチを目視により容易に探索可能な色選択用カラーチャートが望まれる。
尚、上述のような問題は、ＩＣＣプロファイルを修正する場合に限らず、種々のカラー機器を対象として色を合わせる場合にも存在する。
【０００７】
本発明の目的の一つは、目標のカラーパッチを探し易くすることが可能な技術を提供することにある。
【課題を解決するための手段】
【０００８】
上記目的の一つを達成するため、本発明は、複数のカラーパッチの中から目標色に最も近い色のカラーパッチを選択するための色選択用カラーチャートであって、
調整対象の色と、該調整対象の色に代わる基準色と、のいずれかの色を表すカラーパッチを対象パッチとし、前記色選択用カラーチャートにおいて前記対象パッチから色を調整したい方向が表された方向を調整方向として、
前記対象パッチから前記調整方向とは反対の方向よりも、前記対象パッチから前記調整方向の方が広い、態様を有する。
【０００９】
また、本発明は、複数のカラーパッチの中から目標色に最も近い色のカラーパッチを選択するための色選択用カラーチャートを生成する色選択用カラーチャート生成方法であって、
調整対象の色の指定を受け付ける色指定工程と、
所定の色空間において前記調整対象の色を調整する調整方向の設定を受け付ける調整方向設定工程と、
前記調整対象の色と、該調整対象の色に代わる基準色と、のいずれかの色を表す対象パッチから前記調整方向とは反対の方向よりも、前記対象パッチから前記調整方向の方が広くなるように、前記対象パッチを含めて前記カラーパッチを前記色選択用カラーチャートに配置するパッチ配置工程と、を含む、態様を有する。
【００１０】
さらに、本発明は、上述した色選択用カラーチャート生成方法の各工程に対応する機能をコンピューターに実現させる色選択用カラーチャート生成プログラムの態様を有する。
さらに、本発明は、上述した色選択用カラーチャート生成方法の各工程に対応するユニット（「部」）を含む色選択用カラーチャート生成装置の態様を有する。
【００１１】
上述した態様は、目標のカラーパッチを探し易くする技術を提供することができる。
【図面の簡単な説明】
【００１２】
【図１】色選択用カラーチャート生成装置の構成例を模式的に示すブロック図。
【図２】カラーマネジメントフローの例を模式的に示す図。
【図３】各種プロファイルの関係の例を模式的に示す図。
【図４】色選択用カラーチャートの印刷物の例を模式的に示す図。
【図５】対象パッチから反調整方向よりも対象パッチから調整方向の方が広い色選択用カラーチャートの例を模式的に示す図。
【図６】対象パッチから反調整方向よりも対象パッチから調整方向の方が広い色選択用カラーチャートの例を模式的に示す図。
【図７】色選択用カラーチャート生成処理の例を示すフローチャート。
【図８】図８Ａ〜８Ｃは調整点を設定する例を模式的に示す図。
【図９】調整方向設定画面の例を模式的に示す図。
【図１０】色空間に設定されるカラーパッチ使用可能領域の例を模式的に示す図。
【図１１】図１１Ａ〜１１Ｃは、仮想平面に沿った調整方向の例を模式的に示す図。
【図１２】カラーパッチ使用可能領域の範囲を設定した例を模式的に示す図。
【図１３】明度軸方向においてカラーパッチ使用可能領域に仮想平面を設定した例を模式的に示す図。
【図１４】色選択用カラーチャートの作用の例を模式的に示す図。
【図１５】図１５Ａ〜１５Ｄは対象パッチを示す情報の様々な例を模式的に示す図。
【図１６】図１６Ａ〜１６Ｄは対象パッチを示す情報の様々な例を模式的に示す図。
【図１７】図１７Ａ〜１７Ｄは調整方向を示す情報の様々な例を模式的に示す図。
【図１８】色選択用カラーチャートの別の例を模式的に示す図。
【図１９】色選択用カラーチャートの別の例を模式的に示す図。
【図２０】色選択用カラーチャートの別の例を模式的に示す図。
【図２１】ユーザーインターフェイス画面の別の例を模式的に示す図。
【図２２】複数の色選択用カラーチャートを有する印刷物の例を模式的に示す図。
【発明を実施するための形態】
【００１３】
以下、本発明の実施形態を説明する。むろん、以下の実施形態は本発明を例示するものに過ぎず、実施形態に示す特徴の全てが発明の解決手段に必須になるとは限らない。
【００１４】
（１）本発明に含まれる技術の概要：
まず、図１〜２２に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。
【００１５】
［態様１］
図４等に例示するように、複数のカラーパッチＰＣ０の中から目標色に最も近い色のカラーパッチを選択するための色選択用カラーチャートＣＨ０においては、対象パッチＰＡ０から調整方向Ｄ１とは反対である反調整方向Ｄ２よりも、前記対象パッチＰＡ０から前記調整方向Ｄ１の方が広い。ここで、前記対象パッチＰＡ０は、調整対象の色（例えば初期色ＣＬ１）と、該調整対象の色（ＣＬ１）に代わる基準色ＣＬ２と、のいずれかの色を表すカラーパッチＰＣ０である。前記調整方向Ｄ１は、前記色選択用カラーチャートＣＨ０において前記対象パッチＰＡ０から色を調整したい方向が表された方向である。
【００１６】
対象パッチＰＡ０から反調整方向Ｄ２の側にあるカラーパッチＰＣ０は、選択される可能性が低い。対象パッチＰＡ０から調整方向Ｄ１の側にあるカラーパッチＰＣ０は、選択される可能性が高い。このため、上記色選択用カラーチャートＣＨ０においては、選択される可能性が低いカラーパッチＰＣ０よりも、選択される可能性が高いカラーパッチＰＣ０の方が多い。従って、本態様は、目標のカラーパッチを探し易くする色選択用カラーチャートを提供することができる。
尚、図２２に例示するように複数の色選択用カラーチャートＣＨ０を一枚の被印刷物（print substrate）ＭＥ１に形成することも可能である。各カラーパッチ群のカラーパッチ間の間隔ΔＬｐよりも広い間隔ΔＬｃを空けてカラーパッチ群が配置されている場合、間隔ΔＬｃを隔てた各パッチ群が本技術の色選択用カラーチャートＣＨ０となる。
【００１７】
［態様２］
前記対象パッチＰＡ０を示す情報Ｍ１は、該対象パッチＰＡ０とは異なる色により前記色選択用カラーチャートＣＨ０に表されてもよい。この態様は、対象パッチＰＡ０を示す情報Ｍ１が目立つので、対象パッチを分かり易くすることができる。
【００１８】
［態様３］
図１５Ａ〜１５Ｄ，１６Ａ〜１６Ｄ等に例示されるように、前記対象パッチＰＡ０を示す情報Ｍ１として、前記対象パッチＰＡ０を囲む枠、前記対象パッチＰＡ０に付された文字、前記対象パッチＰＡ０に付された印、及び、前記対象パッチＰＡ０を指し示す矢印の中から選ばれる一以上の情報が前記色選択用カラーチャートＣＨ０に表されてもよい。この態様は、対象パッチＰＡ０を示していることが分かり易いので、対象パッチを分かり易くすることができる。
尚、上記態様２，３には含まれないが、対象パッチが判る場合であって対象パッチを示す情報が無い場合も本技術に含まれる。
【００１９】
［態様４］
図１７Ａ〜１７Ｄ等に例示されるように、前記調整方向Ｄ１を示す情報Ｍ２として、矢印、線、及び、文字の中から選ばれる一以上の情報が前記色選択用カラーチャートＣＨ０に表されてもよい。この態様は、調整方向Ｄ１を示していることが分かり易いので、調整方向を分かり易くすることができる。
【００２０】
［態様５］
図１７Ｄ等に例示されるように、前記調整方向Ｄ１を示す情報Ｍ２として、さらに、色空間（例えばＬａｂ色空間）の軸方向を表す線Ｍ２ａが前記色選択用カラーチャートＣＨ０に表されてもよい。この態様は、調整方向Ｄ１を示していることがさらに分かり易いので、調整方向をさらに分かり易くすることができる。
尚、上記態様４，５には含まれないが、調整方向が判る場合であって調整方向を示す情報が無い場合も本技術に含まれる。
【００２１】
［態様６］
図５，６に例示されるように、前記対象パッチＰＡ０から前記調整方向Ｄ１とは反対の反調整方向Ｄ２における前記色選択用カラーチャートＣＨ０の端Ｅ１までの距離をＬ１とし、前記対象パッチＰＡ０から前記調整方向Ｄ１における前記色選択用カラーチャートＣＨ０の端Ｅ２までの距離をＬ２とするとき、｛Ｌ１／（Ｌ１＋Ｌ２）｝が０．４以下でもよい。これにより、目標のカラーパッチをさらに探し易くすることができる。
【００２２】
［態様７］
ところで、図１，４，７等に例示するように、本技術の一態様に係る色選択用カラーチャート生成方法は、複数のカラーパッチＰＣ０の中から目標色に最も近い色のカラーパッチを選択するための色選択用カラーチャートＣＨ０を生成する色選択用カラーチャート生成方法であって、色指定工程ＳＴ１、調整方向設定工程ＳＴ２、及び、パッチ配置工程ＳＴ３を含む。前記色指定工程ＳＴ１では、調整対象の色（例えば初期色ＣＬ１）の指定を受け付ける。前記調整方向設定工程ＳＴ２では、所定の色空間（例えばＬａｂ色空間）において前記調整対象の色（ＣＬ１）を調整する調整方向Ｄ１の設定を受け付ける。前記パッチ配置工程ＳＴ３では、前記調整対象の色（ＣＬ１）と、該調整対象の色（ＣＬ１）に代わる基準色ＣＬ２と、のいずれかの色を表す対象パッチＰＡ０から前記調整方向Ｄ１とは反対の反調整方向Ｄ２よりも、前記対象パッチＰＡ０から前記調整方向Ｄ１の方が広くなるように、前記対象パッチＰＡ０を含めて前記カラーパッチＰＣ０を前記色選択用カラーチャートＣＨ０に配置する。
【００２３】
対象パッチＰＡ０を含む色選択用カラーチャートＣＨ０において、対象パッチＰＡ０から反調整方向Ｄ２の側にあるカラーパッチＰＣ０は、選択される可能性が低い。対象パッチＰＡ０から調整方向Ｄ１の側にあるカラーパッチＰＣ０は、選択される可能性が高い。このため、上記色選択用カラーチャート生成方法により得られる色選択用カラーチャートＣＨ０においては、選択される可能性が低いカラーパッチＰＣ０よりも、選択される可能性が高いカラーパッチＰＣ０の方が多い。従って、本態様は、目標のカラーパッチを探し易くする色選択用カラーチャート生成方法を提供することができる。
【００２４】
ここで、色空間には、ＣＩＥ Ｌａｂ色空間、ＣＩＥ ＸＹＺ色空間、ＣＭＹＫ色空間、ＣＭＹ色空間、ＲＧＢ色空間、等が含まれる。尚、Ｒは赤を意味し、Ｇは緑を意味し、Ｂは青を意味する。
尚、上記付言は、以下の態様も同様である。
【００２５】
［態様８］
図４等に例示されるように、前記対象パッチＰＡ０は、前記調整対象の色（ＣＬ１）を表す調整対象色パッチＰＡ１、及び、前記基準色ＣＬ２を表す基準色パッチＰＡ２を含んでもよい。前記色選択用カラーチャートＣＨ０は、前記調整対象色パッチＰＡ１を含む第一のカラーチャートＣＨ１、及び、前記基準色パッチＰＡ２を含む第二のカラーチャートＣＨ２を含んでもよい。前記調整方向設定工程ＳＴ２では、前記調整対象の色（ＣＬ１）に基づいて前記基準色ＣＬ２を決定してもよい。前記パッチ配置工程ＳＴ３では、前記調整対象色パッチＰＡ１から前記調整方向Ｄ１とは反対の反調整方向Ｄ２よりも、前記調整対象色パッチＰＡ１から前記調整方向Ｄ１の方が広くなるように、前記調整対象色パッチＰＡ１を含めて前記カラーパッチＰＣ０を前記第一のカラーチャートＣＨ１に配置してもよい。また、前記調整方向設定工程ＳＴ２では、前記基準色パッチＰＡ２から前記調整方向Ｄ１とは反対の反調整方向Ｄ２よりも、前記基準色パッチＰＡ２から前記調整方向Ｄ１の方が広くなるように、前記基準色パッチＰＡ２を含めて前記カラーパッチＰＣ０を前記第二のカラーチャートＣＨ２に配置してもよい。
上記態様は、色選択用カラーチャートＣＨ０が第一のカラーチャートＣＨ１と第二のカラーチャートＣＨ２とを含んでいるので、目標のカラーパッチをさらに探し易くすることができる。
【００２６】
［態様９］
図１３等に例示されるように、前記パッチ配置工程ＳＴ３では、前記基準色ＣＬ２を、前記色空間において前記調整対象の色（ＣＬ１）から前記色空間の軸方向（例えばＬ軸方向）へ移した色に決定してもよい。この態様は、目標のカラーパッチを探し易くする色選択用カラーチャートの好適な生成方法を提供することができる。
【００２７】
ここで、色空間の複数の軸は、色空間に応じて定まる。例えば、Ｌａｂ色空間は、Ｌ軸、ａ軸、及び、ｂ軸を有する。この場合、基準色は、調整対象の色からＬ軸方向へ移した色でもよいし、調整対象の色からａ軸方向へ移した色でもよいし、調整対象の色からｂ軸方向へ移した色でもよい。
尚、上記付言は、以下の態様も同様である。
【００２８】
［態様１０］
図１０等に例示されるように、前記パッチ配置工程ＳＴ３では、前記第一のカラーチャートＣＨ１に配置するカラーパッチＰＣ０の色を、前記色空間において前記複数の軸（例えばＬ軸、ａ軸、及び、ｂ軸）に含まれる第一の軸（例えばａ軸）及び第二の軸（例えばｂ軸）に沿った仮想平面ＰＬ０の色にしてもよい。図９等に例示されるように、前記調整方向設定工程ＳＴ２では、前記仮想平面ＰＬ０に沿った方向となるように前記調整方向Ｄ１の設定を受け付けてもよい。本態様は、色空間において第一の軸及び第二の軸に沿った仮想平面ＰＬ０に沿って調整方向Ｄ１を設定することができるので、調整方向Ｄ１を設定し易くすることができる。
【００２９】
［態様１１］
図９等に例示されるように、前記調整方向設定工程ＳＴ２では、前記仮想平面ＰＬ０に沿った３以上の方向（図９では６方向）の中から一部の１以上の方向を前記調整方向Ｄ１に対応する方向として受け付けてもよい。この態様は、調整方向をさらに設定し易くすることができる。
【００３０】
［態様１２］
図１３等に例示されるように、前記調整方向設定工程ＳＴ２では、前記基準色ＣＬ２を前記色空間において前記調整対象の色（ＣＬ１）から第三の軸（例えばＬ軸）に沿って移した色に決定してもよい。この態様は、目標のカラーパッチを探し易くする好適な色選択用カラーチャートの生成方法を提供することができる。
【００３１】
［態様１３］
図９等に例示されるように、前記調整方向設定工程ＳＴ２では、前記第三の軸に沿って前記調整対象の色（ＣＬ１）から前記基準色ＣＬ２を移す範囲の指定を受け付け、前記範囲に基づいて前記基準色ＣＬ２を決定してもよい。この態様は、目標のカラーパッチをさらに探し易くする色選択用カラーチャートの生成方法を提供することができる。
【００３２】
［態様１４］
図２１等に例示されるように、前記調整方向設定工程ＳＴ２では、前記対象パッチＰＡ０から前記調整方向Ｄ１とは反対の反調整方向Ｄ２における前記色選択用カラーチャートＣＨ０の端Ｅ１までの距離の程度の指定を受け付けてもよい。前記パッチ配置工程ＳＴ３では、前記色選択用カラーチャートＣＨ０において前記距離の程度に基づいた位置に前記対象パッチＰＡ０を配置してもよい。本態様は、目標のカラーパッチを探し易くする色選択用カラーチャートの好適な生成方法を提供することができる。
【００３３】
［態様１５］
ところで、本技術の一態様に係る色選択用カラーチャート生成プログラムＰＲ０は、色指定工程ＳＴ１に対応する色指定機能ＦＵ１、調整方向設定工程ＳＴ２に対応する調整方向設定機能ＦＵ２、及び、パッチ配置工程ＳＴ３に対応するパッチ配置機能ＦＵ３をコンピューターに実現させる。本態様は、目標のカラーパッチを探し易くする色選択用カラーチャート生成プログラムを提供することができる。
【００３４】
［態様１６］
また、本技術の一態様に係る色選択用カラーチャート生成装置（例えばホスト装置１００）は、色指定工程ＳＴ１に対応する色指定部Ｕ１、調整方向設定工程ＳＴ２に対応する調整方向設定部Ｕ２、及び、パッチ配置工程ＳＴ３に対応するパッチ配置部Ｕ３を含む。本態様は、目標のカラーパッチを探し易くする色選択用カラーチャート生成装置を提供することができる。
【００３５】
さらに、本技術は、色選択用カラーチャート生成装置の制御方法、色選択用カラーチャート生成装置を含む複合システム、複合システムの制御方法、色選択用カラーチャート生成装置の制御プログラム、複合システムの制御プログラム、色選択用カラーチャート生成プログラムや前記制御プログラムを記録したコンピューター読み取り可能な媒体、等に適用可能である。前述の装置は、分散した複数の部分で構成されてもよい。
【００３６】
（２）色選択用カラーチャート生成装置の構成の具体例：
図１は、色選択用カラーチャート生成装置の構成例としてホスト装置１００を模式的に示している。このホスト装置１００は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、通信Ｉ／Ｆ（インターフェイス）１１８、等が接続されて互いに情報を入出力可能とされている。
【００３７】
記憶装置１１４は、図示しないＯＳ（オペレーティングシステム）、色選択用カラーチャート生成プログラムＰＲ０、等を記憶している。これらは、適宜、ＲＡＭ１１３に読み出され、色選択用カラーチャートの生成処理に使用される。ＲＡＭ１１３と記憶装置１１４の少なくとも一方には、各種情報、例えば、入力プロファイル６１０、出力プロファイル６２０、デバイスリンクプロファイル６３０、等が格納される。ここで、これらのプロファイル６１０〜６３０をプロファイル５００と総称する。記憶装置１１４には、フラッシュメモリー等の不揮発性半導体メモリー、ハードディスク等の磁気記憶装置、等を用いることができる。
【００３８】
表示装置１１５には、液晶表示パネル等を用いることができる。入力装置１１６には、ポインティングデバイス、キーボードを含むハードキー、表示パネルの表面に貼り付けられたタッチパネル、等を用いることができる。通信Ｉ／Ｆ １１８は、プリンター２００の通信Ｉ／Ｆ ２１０に接続され、プリンター２００に対して印刷データ等といった情報を入出力する。通信Ｉ／Ｆ １１８，２１０の規格には、ＵＳＢ（Universal Serial Bus）、近距離無線通信規格、等を用いることができる。通信Ｉ／Ｆ １１８，２１０の通信は、有線でもよいし、無線でもよく、ＬＡＮ（Local Area Network）やインターネット等といったネットワーク通信でもよい。
【００３９】
図１に示す色選択用カラーチャート生成プログラムＰＲ０は、色指定機能ＦＵ１、調整方向設定機能ＦＵ２、及び、パッチ配置機能ＦＵ３をホスト装置１００に実現させる。
【００４０】
尚、ホスト装置１００には、パーソナルコンピューター（タブレット型端末を含む。）といったコンピューター等が含まれる。ホスト装置１００は、一つの筐体内に全構成要素１１１〜１１８を有してもよいが、互いに通信可能に分割された複数の装置で構成されてもよい。また、プリンターがホスト装置１００にあっても、本技術を実施可能である。
【００４１】
図１に示すプリンター２００は、色材としてＣ（シアン）インク、Ｍ（マゼンタ）インク、Ｙ（イエロー）インク、及び、Ｋ（ブラック）インクを記録ヘッド２２０から吐出（噴射）して印刷データに対応する出力画像ＩＭ０を形成するインクジェットプリンターであるものとする。記録ヘッド２２０は、インクカートリッジＣｃ，Ｃｍ，Ｃｙ，ＣｋからそれぞれＣＭＹＫ（シアン、マゼンタ、イエロー、及び、ブラック）のインクが供給され、ノズルＮｃ，Ｎｍ，Ｎｙ，ＮｋからそれぞれＣＭＹＫのインク滴２８０を吐出する。インク滴２８０が被印刷物ＭＥ１に着弾すると、インクドットが被印刷物ＭＥ１に形成される。その結果、被印刷物ＭＥ１上に出力画像ＩＭ０を有する印刷物が得られる。
【００４２】
（３）カラーマネジメントシステムの具体例：
次に、図２を参照して、本技術を適用可能なカラーマネジメントシステムの例を説明する。尚、以下述べる実施形態では、インクジェットプリンター２００に依存する第二の色空間ＣＳ２（図３参照）がＣＭＹＫ色空間である場合にターゲット印刷機３００に依存する第一の色空間ＣＳ１（図３参照）のＣＭＹＫ色空間と区別するため第二の色空間ＣＳ２をｃｍｙｋ色空間と表記している。
図２に示すカラーマネジメントシステムは、印刷原稿データＤ０をＲＩＰ（Raster Image Processor）４００で印刷色ｃｍｙｋp（シアン、マゼンタ、イエロー、及び、ブラック）を表す出力データに変換してインクジェットプリンター２００に印刷物を形成させる。印刷原稿データＤ０は、色合わせのターゲット装置の例であるターゲット印刷機３００のＣＭＹＫのインク（色材）で目標とする色（目標色Ｃt）を再現するためのプロセスカラーＣＭＹＫinを表す。印刷原稿データＤ０には、カラーライブラリーの色名も指定可能である。カラーライブラリーには、例えば、Pantone（登録商標）カラーライブラリー等を使用可能である。
【００４３】
ターゲット印刷機３００は、オフセット印刷機であるものとするが、グラビア印刷機、フレキソ印刷機、等でもよい。目標色Ｃtは、例えば、ＣＩＥ Ｌａｂ色空間の座標値（Ｌａｂ値）で表される。図２には、ターゲット印刷機３００が被印刷物に目標色Ｃtを表すカラーチャートを印刷し、測色装置がカラーチャートの各パッチを測色して測色値Ｌａｂtを取得する様子が示されている。プロセスカラーＣＭＹＫinは、ターゲット印刷機３００で使用されるＣＭＹＫのインクの使用量に対応し、ターゲット印刷機３００に依存するＣＭＹＫ色空間の座標を表す。
【００４４】
ＲＩＰ４００は、入力プロファイル６１０、出力プロファイル６２０、及び、カラーライブラリー６４０を有している。入力プロファイル６１０は、ターゲット印刷機３００で使用されるインクの色特性を記述したファイルである。出力プロファイル６２０は、インクジェットプリンター２００で使用されるインクの色特性を記述したファイルである。両プロファイル６１０，６２０には、例えば、ＩＣＣプロファイルのデータフォーマットを用いることができる。印刷原稿データＤ０のプロセスカラーＣＭＹＫinは、入力プロファイル６１０に従ってＬａｂ色空間の色Ｌａｂsに変換され、出力プロファイル６２０に従って印刷色ｃｍｙｋpに変換される。プリンター２００がＣＭＹＫの計４色のインクを使用する場合、印刷色ｃｍｙｋpは、プリンター２００に出力され、印刷物に再現される。図２には、プリンター２００が被印刷物に印刷色ｃｍｙｋpを表すカラーチャートを印刷する様子が示されている。測色装置があれば測色装置がカラーチャートの各パッチを測色して測色値Ｌａｂpを取得することができるが、測色装置を所有していないユーザーもいる。プリンター２００がＬｃ（ライトシアン）、Ｌｍ（ライトマゼンタ）、Ｄｙ（ダークイエロー）、Ｌｋ（ライトブラック）、等のインクも使用する場合、ＲＩＰ４００又はプリンター２００が印刷色ｃｍｙｋpを濃色と淡色に分版すると、プリンター２００が印刷色ｃｍｙｋpを印刷物に再現することができる。むろん、印刷色自体も、ＣＭＹＫの計４色に限定されない。
また、印刷原稿データＤ０に色名が設定されている場合、ＲＩＰ４００は、カラーライブラリー６４０を参照して色名をＬａｂ色空間の色Ｌａｂsに変換することがある。
【００４５】
尚、ＲＩＰ４００は、プロセスカラーＣＭＹＫin以外にも、減法混色となる三原色ＣＭＹのみの色材の使用量を表すプロセスカラー（ＣＭＹinとする。）、加法混色となる三原色Ｒ（赤）、Ｇ（緑）、及び、Ｂ（青）の強度を表すプロセスカラー（ＲＧＢinとする。）、等とＬａｂ色空間の座標値とを変換するための入力プロファイルも有している。従って、ＲＩＰ４００は、プロセスカラーＣＭＹinやプロセスカラーＲＧＢin等もＬａｂ色空間経由で印刷色ｃｍｙｋpに変換可能である。加えて、ＲＩＰ４００は、Ｌａｂ色空間の色Ｌａｂsを入力して印刷色ｃｍｙｋpに変換することも可能である。
【００４６】
以上により、インクジェットプリンター２００でターゲット印刷機３００の色に近い色を再現することができる。しかし、実際には、プロファイルの誤差、色測定誤差、プリンターの変動、等により、期待する色が再現できない場合がある。このような場合、プロファイル６１０，６２０を修正することにより、対象の色の変換精度を上げている。ここで、測色装置を所有していないユーザーは、色選択用カラーチャートをプリンター２００に印刷させ、目視により色選択用カラーチャートのカラーパッチを選択する必要がある。
【００４７】
尚、図３に例示するように、プロファイル５００は、入力色空間ＣＳ４の座標値と出力色空間ＣＳ５の座標値との対応関係を規定したデータである。入力プロファイル６１０は、ターゲット印刷機３００の使用インクに合わせたＣＭＹＫ色空間（第一の色空間ＣＳ１の例）のＣＭＹＫ値（Ｃi，Ｍi，Ｙi，Ｋi）と、Ｌａｂ色空間（ＰＣＳ（プロファイル接続空間）ＣＳ３の例）のＬａｂ値（Ｌi，ａi，ｂi）と、の対応関係を規定したデータである。この場合のＡ２Ｂテーブルの格子点ＧＤ１は、通常、ＣＭＹＫ色空間にＣ軸方向、Ｍ軸方向、Ｙ軸方向、及び、Ｋ軸方向へ略等間隔となるように並べられる。尚、ここでの変数ｉは、ＣＭＹＫ色空間（ＣＳ１）に設定された格子点ＧＤ１を識別する変数である。
【００４８】
出力プロファイル６２０は、Ｌａｂ色空間（ＣＳ３）のＬａｂ値（Ｌj，ａj，ｂj）と、インクジェットプリンター２００の使用インクに合わせたｃｍｙｋ色空間（第二の色空間ＣＳ２の例）のｃｍｙｋ値（ｃj，ｍj，ｙj，ｋj）と、の対応関係を規定したデータである。この場合のＢ２Ａテーブルの格子点ＧＤ２は、通常、Ｌａｂ色空間にＬ軸方向、ａ軸方向、及び、ｂ軸方向へ略等間隔となるように並べられる。尚、ここでの変数ｊは、Ｌａｂ色空間（ＣＳ３）に設定された格子点ＧＤ２を識別する変数である。「ｃｍｙｋ色空間」と表現しているのは、プリンター２００の使用インクに合わせた色空間をターゲット印刷機３００に合わせた色空間と区別するためである。
【００４９】
デバイスリンクプロファイル６３０は、ＣＭＹＫ色空間（ＣＳ１）のＣＭＹＫ値（Ｃi，Ｍi，Ｙi，Ｋi）と、ｃｍｙｋ色空間（ＣＳ２）のｃｍｙｋ値（ｃi，ｍi，ｙi，ｋi）と、の対応関係を規定したデータである。ここでの変数ｉは、ＣＭＹＫ色空間（ＣＳ１）に設定された格子点ＧＤ１を識別する変数である。デバイスリンクプロファイル６３０は、入力プロファイル６１０と出力プロファイル６２０とを結合することにより得られる。
尚、格子点（grid point）は入力色空間に配置された仮想の点を意味し、入力色空間における格子点の位置に対応する出力座標値が該格子点に格納されていると想定することにしている。複数の格子点が入力色空間内で均等に配置されるのみならず、複数の格子点が入力色空間内で不均等に配置されることも、本技術に含まれる。
【００５０】
（４）色選択用カラーチャートの具体例：
図４は、プロファイル５００を修正するための色選択用カラーチャートの例として、複数のカラーパッチＰＣ０の中から目標色に最も近い色のカラーパッチを選択するための色選択用カラーチャートＣＨ０（以下、単に「カラーチャートＣＨ０」とも記載）の印刷物ＰＴ１を模式的に示している。パッチは、色票とも呼ばれる。色選択用カラーチャートＣＨ０は、初期色ＣＬ１（調整対象の色の例）を表す調整対象色パッチＰＡ１を含む第一のカラーチャートＣＨ１、及び、初期色ＣＬ１に代わる基準色ＣＬ２を表す基準色パッチＰＡ２を含む一以上の第二のカラーチャートＣＨ２を含む。ここで、調整対象色パッチＰＡ１と基準色パッチＰＡ２を対象パッチＰＡ０と総称する。
【００５１】
各カラーチャートＣＨ１，ＣＨ２において、横方向へはＬａｂ色空間の色座標ａが差Δａ１（Δａ１＞０）となるように各カラーパッチＰＣ０が並べられ、縦方向へはＬａｂ色空間の色座標ｂが差Δｂ１（Δｂ１＞０）となるように各カラーパッチＰＣ０が並べられている。従って、カラーチャートにカラーパッチがＬａｂ色空間において一定の色座標差で並べられている場合、カラーパッチを配置する基準の色空間はＬａｂ色空間といえる。ここで、各カラーチャートＣＨ１，ＣＨ２における横方向のカラーパッチＰＣ０の位置をアルファベットＡ，Ｂ，Ｃ，…で表し、各カラーチャートＣＨ１，ＣＨ２における縦方向のカラーパッチＰＣ０の位置を数字１，２，３，…で表すことにする。例えば、図４に示す対象パッチＰＡ０は、「Ａ５」の位置にあることになる。
また、複数のカラーチャートＣＨ１，ＣＨ２は、同じ位置のカラーパッチＰＣ０におけるＬａｂ色空間の明度Ｌが差ΔＬ１又はΔＬ２（ΔＬ１＞０，ΔＬ２＞０）となるようにカラーパッチＰＣ０が被印刷物ＭＥ１に形成されている。
【００５２】
第一のカラーチャートＣＨ１の調整対象色パッチＰＡ１には、対象パッチを示す情報Ｍ１として、調整対象色パッチＰＡ１を囲む実線枠、及び、「現在の色」という文字が付されている。これら実線枠及び文字は、調整対象色パッチＰＡ１とは異なる色により表されている。
また、第一のカラーチャートＣＨ１には、調整対象色パッチＰＡ１から色を調整したい調整方向Ｄ１を示す情報Ｍ２として、矢印、及び、「調整方向」という文字が付されている。調整方向Ｄ１は、調整対象色パッチＰＡ１から色を調整したい方向が表されている。図４に示す矢印は、調整対象色パッチＰＡ１から右上に向かう方向を示し、この方向が初期色ＣＬ１を調整する調整方向Ｄ１となる。これら矢印及び文字は、近隣のカラーパッチＰＣ０とは異なる色により表されている。
【００５３】
第二のカラーチャートＣＨ１の基準色パッチＰＡ２には、対象パッチを示す情報Ｍ１として、基準色パッチＰＡ２を囲む破線枠、及び、「基準色」という文字が付されている。従って、調整対象色パッチＰＡ１を示す情報と基準色パッチＰＡ２を示す情報とは、異なる。前述の破線枠及び文字は、基準色パッチＰＡ２とは異なる色により表されている。
また、第二のカラーチャートＣＨ２には、基準色パッチＰＡ２から色を調整したい調整方向Ｄ１を示す情報Ｍ２として、矢印、及び、「調整方向」という文字が付されている。これら矢印及び文字は、近隣のカラーパッチＰＣ０とは異なる色により表されている。図４に示す例では調整対象色パッチＰＡ１からの調整方向Ｄ１を示す情報と基準色パッチＰＡ２からの調整方向Ｄ１を示す情報とが同じであるが、調整対象色パッチＰＡ１からの調整方向Ｄ１を示す情報と基準色パッチＰＡ２からの調整方向Ｄ１を示す情報とを異ならせてもよい。
【００５４】
さらに、第一のカラーチャートＣＨ１においては、調整対象色パッチＰＡ１が略端部にあり、調整対象色パッチＰＡ１から反調整方向Ｄ２よりも、調整対象色パッチＰＡ１から調整方向Ｄ１の方が広い。第二のカラーチャートＣＨ２においては、基準色パッチＰＡ２が略端部にあり、基準色パッチＰＡ２から反調整方向Ｄ２よりも、基準色パッチＰＡ２から調整方向Ｄ１の方が広い。対象パッチＰＡ０が「略端部」にあるとは、調整方向Ｄ１及び反調整方向Ｄ２に沿った方向において対象パッチＰＡ０から一方向（反調整方向Ｄ２）よりも対象パッチＰＡ０から他方向（調整方向Ｄ１）の方が広いことを意味する。すなわち、色選択用カラーチャートＣＨ０は、対象パッチＰＡ０から調整方向Ｄ１とは反対の反調整方向Ｄ２よりも対象パッチＰＡ０から調整方向Ｄ１の方が広いという特徴を有する。
【００５５】
図５，６は、対象パッチＰＡ０から反調整方向Ｄ２よりも対象パッチＰＡ０から調整方向Ｄ１の方が広い別の例を模式的に示している。繰り返しとなるが、色選択用カラーチャートＣＨ０は、第一のカラーチャートＣＨ１と第二のカラーチャートＣＨ２とを総称している。
【００５６】
図５に示すカラーチャートＣＨ０は、横方向へ６個、及び、縦方向へ６個のカラーパッチＰＣ０を有し、位置Ｂ５に対象パッチＰＡ０が配置され、対象パッチＰＡ０からの調整方向Ｄ１が右上方向である。ここで、対象パッチＰＡ０の中心Ｃ０から反調整方向Ｄ２におけるカラーチャートＣＨ０の端Ｅ１までの距離をＬ１とし、対象パッチＰＡ０の中心Ｃ０から調整方向Ｄ１におけるカラーチャートＣＨ０の端Ｅ２までの距離をＬ２とする。カラーチャートＣＨ０の端は、図５に二点鎖線で囲んだように、等間隔に並んだカラーパッチＰＣ０の群において最も外側のカラーパッチにおける外側の端を結ぶ位置とする。対象パッチＰＡ０から反調整方向Ｄ２よりも対象パッチＰＡ０から調整方向Ｄ１の方が広いとは、Ｌ１＜Ｌ２を意味する。
【００５７】
カラーチャートＣＨ０の端Ｅ１，Ｅ２を結ぶ長さＬ１＋Ｌ２に対する対象パッチＰＡ０の中心Ｃ０と反調整方向Ｄ２における端Ｅ１との距離Ｌ１の比｛Ｌ１／（Ｌ１＋Ｌ２）｝は、０．４以下が好ましく、０．３以下がより好ましく、０．２以下がさらに好ましい。｛Ｌ１／（Ｌ１＋Ｌ２）｝≦０．１にすることも可能である。
【００５８】
図６に示すカラーチャートＣＨ０は、横方向へ６個、及び、縦方向へ６個のカラーパッチＰＣ０を有し、位置Ｂ４に対象パッチＰＡ０が配置され、対象パッチＰＡ０からの調整方向Ｄ１が右方向である。ここでも、対象パッチＰＡ０の中心Ｃ０から反調整方向Ｄ２におけるカラーチャートＣＨ０の端Ｅ１までの距離をＬ１とし、対象パッチＰＡ０の中心Ｃ０から調整方向Ｄ１におけるカラーチャートＣＨ０の端Ｅ２までの距離をＬ２とすると、Ｌ１＜Ｌ２である。比｛Ｌ１／（Ｌ１＋Ｌ２）｝は、０．４以下が好ましく、０．３以下がより好ましく、０．２以下がさらに好ましい。｛Ｌ１／（Ｌ１＋Ｌ２）｝≦０．１にすることも可能である。
【００５９】
（５）色選択用カラーチャート生成処理の具体例：
図７は、図１に示すホスト装置１００で行われる色選択用カラーチャート生成処理の例を示している。図８Ａ〜８Ｃは、調整対象の色を表す調整点Ｐ０を設定する様子を模式的に例示している。図８Ｂでは、ＣＭＹＫ色空間（ＣＳ１）が４次元の色空間であるため、ＣＭＹＫ色空間（ＣＳ１）をＣ軸とＭ軸とＹ軸とで形成される３次元の仮想空間として示している。図８Ｃでは、ｃｍｙｋ色空間（ＣＳ２）が４次元の色空間であるため、ｃｍｙｋ色空間（ＣＳ２）をｃ軸とｍ軸とｙ軸とで形成される３次元の仮想空間として示している。
ホスト装置１００は、マルチタスクにより複数の処理を並列して実行している。ここで、図７のステップＳ１０２は、色指定工程ＳＴ１、色指定機能ＦＵ１、及び、色指定部Ｕ１に対応している。図７のステップＳ１０４〜Ｓ１０６は、調整方向設定工程ＳＴ２、調整方向設定機能ＦＵ２、及び、調整方向設定部Ｕ２に対応している。図７のステップＳ１０８〜Ｓ１１４は、パッチ配置工程ＳＴ３、パッチ配置機能ＦＵ３、及び、パッチ配置部Ｕ３に対応している。以下、「ステップ」の記載を省略する。
【００６０】
図７に示す色選択用カラーチャート生成処理が開始されると、ホスト装置１００は、所定の色空間において調整点Ｐ０の指定を受け付ける（Ｓ１０２）。調整点Ｐ０は、指定を受け付ける色空間の座標を表している。例えば、図８Ａに示すように調整点Ｐ０の指定をＬａｂ色空間（プロファイル接続空間ＣＳ３）において受け付ける場合、調整点Ｐ０はＬａｂ値（Ｌ０，ａ０，ｂ０）で表される。また、図８Ｂに示すように調整点Ｐ０の指定をＣＭＹＫ色空間（ＣＳ１）において受け付ける場合、調整点Ｐ０はＣＭＹＫ値（Ｃ０，Ｍ０，Ｙ０，Ｋ０）で表される。Ｌａｂ色空間（ＣＳ３）を基準としてカラーパッチＰＣ０を配置する場合、入力プロファイル６１０に従ってＣＭＹＫ値（Ｃ０，Ｍ０，Ｙ０，Ｋ０）をＬａｂ値（Ｌ０，ａ０，ｂ０）に変換すればよい。図８Ｃに示すように調整点Ｐ０の指定をｃｍｙｋ色空間（ＣＳ２）において受け付ける場合、調整点Ｐ０はｃｍｙｋ値（ｃ０，ｍ０，ｙ０，ｋ０）で表される。Ｌａｂ色空間（ＣＳ３）を基準としてカラーパッチＰＣ０を配置する場合、出力プロファイル６２０に従ってｃｍｙｋ値（ｃ０，ｍ０，ｙ０，ｋ０）をＬａｂ値（Ｌ０，ａ０，ｂ０）に変換すればよい。
【００６１】
調整点Ｐ０の指定後、ホスト装置１００は、図９に示す調整方向設定画面８００を表示装置１１５に表示する（Ｓ１０４）。調整方向設定画面８００は、色相方向設定領域８１０、明度方向設定領域８２０、保存ボタン８３０といったボタン、等を有している。色相方向設定領域８１０は、Noneボタン８１１、Yellowボタン８１２、Redボタン８１３、Magentaボタン８１４、Blueボタン８１５、Cyanボタン８１６、Greenボタン８１７、及び、チェックボックス８１８を有している。明度方向設定領域８２０は、明方向範囲選択領域８２１、及び、暗方向範囲選択領域８２２を有している。
【００６２】
ホスト装置１００は、調整方向設定画面８００において、Ｌａｂ色空間（ＣＳ３）において初期色ＣＬ１を調整する調整方向Ｄ１、及び、調整範囲の指定を入力装置１１６により受け付ける（Ｓ１０６）。尚、Ｌａｂ色空間は互いに交わる複数の軸（Ｌ軸、ａ軸、及び、ｂ軸）を有し、ａ軸は第一の軸の例であり、ｂ軸は第二の軸の例であり、Ｌ軸は第三の軸の例である。
【００６３】
ホスト装置１００は、色相方向設定領域８１０において、ａ軸及びｂ軸により定まる色相方向における調整方向Ｄ１の設定を受け付ける。色相方向設定領域８１０には６色相を示すボタン８１２〜８１７があり、ボタン８１２〜８１７のいずれかが操作されると調整点Ｐ０からの調整方向Ｄ１が設定される。尚、Noneボタン８１１は、調整方向Ｄ１が指定されないため、詳しい説明を省略する。
【００６４】
図１０は、Ｌａｂ色空間（ＣＳ３）に設定されるカラーパッチ使用可能領域Ａ０を模式的に例示している。調整方向Ｄ１を設定する前には、Ｌａｂ色空間（ＣＳ３）において初期色ＣＬ１を含む六角柱状のカラーパッチ使用可能領域Ａ０が想定されている。このカラーパッチ使用可能領域Ａ０は、イエロー、レッド、マゼンタ、ブルー、シアン、及び、グリーンの三角柱ＴＲ０に分けられる。また、カラーパッチ使用可能領域Ａ０には、初期色ＣＬ１の明度Ｌから明方向調整範囲ＡＨ及び暗方向調整範囲ＡＬが想定され、初期色ＣＬ１又は基準色ＣＬ２を通る仮想平面ＰＬ０が想定されている。仮想平面ＰＬ０は、ａ軸及びｂ軸を含む色相平面に平行であり、ａ軸及びｂ軸に沿っている。各カラーチャートＣＨ１，ＣＨ２に配置されるカラーパッチＰＣ０は、初期色ＣＬ１又は基準色ＣＬ２に対応する仮想平面ＰＬ０の色とされる。図９に示す色相方向設定領域８１０では、仮想平面ＰＬ０に沿った方向となるように調整方向Ｄ１の設定が受け付けられる。
【００６５】
図１１Ａ〜１１Ｃは、色相方向設定領域８１０のボタン８１２〜８１７の操作に応じた調整方向Ｄ１を模式的に例示している。
図１１Ａは、ボタン８１２〜８１７のいずれか一つが操作された場合において仮想平面ＰＬ０に沿った調整方向Ｄ１を示している。例えば、Yellowボタン８１２が操作された場合、イエロー領域が選択されたことになる。この場合、初期色ＣＬ１又は基準色ＣＬ２からの調整方向Ｄ１は、図１１Ａの上方向（おおよそ＋ｂ軸方向）に設定される。Blueボタン８１５が操作された場合、調整方向Ｄ１は、図１１Ａの下方向（おおよそ−ｂ軸方向）に設定される。
【００６６】
図９に示す色相方向設定領域８１０のチェックボックス８１８が操作されて「隣接する方向をチャートに含める」ことが有効にされると、ボタン８１２〜８１７の中から隣接する２以上のボタンの操作が可能となる。図１１Ｂは、ボタン８１２〜８１７の中から隣接する２箇所のボタンが操作された場合において仮想平面ＰＬ０に沿った調整方向Ｄ１を示している。例えば、Yellowボタン８１２とRedボタン８１３が操作された場合、イエロー領域と赤領域が選択されたことになる。この場合、初期色ＣＬ１又は基準色ＣＬ２からの調整方向Ｄ１は、図１１Ｂの右上方向に設定される。図１１Ｃは、ボタン８１２〜８１７の中から隣接する３箇所のボタンが操作された場合において仮想平面ＰＬ０に沿った調整方向Ｄ１を示している。例えば、Yellowボタン８１２とRedボタン８１３とGreenボタン８１７が操作された場合、イエロー領域とその両隣の領域が選択されたことになる。この場合、初期色ＣＬ１又は基準色ＣＬ２からの調整方向Ｄ１は、図１１Ｃの上方向に設定される。
また、「隣接する方向をチャートに含める」ことが有効にされた場合、ボタン８１２〜８１７のうち一つのボタンが操作されると、対応する領域、及び、その両隣の領域が選択されたとして処理されてもよい。
【００６７】
以上より、ホスト装置１００は、仮想平面ＰＬ０に沿った６方向の中から一部の１以上の方向を調整方向Ｄ１に対応する方向として受け付ける。むろん、選択肢は６方向に限定されず、例えば、イエロー方向とマゼンタ方向とシアン方向の３方向、＋ａ方向と−ａ方向と＋ｂ方向と−ｂ方向の４方向、７方向以上、等でもよい。
【００６８】
ホスト装置１００は、明度方向設定領域８２０において、明度方向（Ｌ軸方向）における調整範囲の指定を受け付ける。明度方向設定領域８２０の明方向範囲選択領域８２１では、基準色ＣＬ２を初期色ＣＬ１から明るくする（Ｌ値を大きくする）範囲の指定が受け付けられる。明度方向設定領域８２０の暗方向範囲選択領域８２２では、基準色ＣＬ２を初期色ＣＬ１から暗くする（Ｌ値を小さくする）範囲の指定が受け付けられる。各領域８２１，８２２では、「広くする」、「通常」、及び、「狭くする」の選択肢の中からいずれか一つの選択肢を独立して選択可能である。一例を挙げると、初期色ＣＬ１と基準色ＣＬ２との最大明度差（明方向調整範囲ＡＨ及び暗方向調整範囲ＡＬ）について、「通常」の指定が明度差１０であるとすると、「広くする」の指定は明度差１０よりも大きくなり（例えば明度差２０）、「狭くする」の指定は明度差１０よりも小さくなる（例えば明度差５）。
以上より、ホスト装置１００は、Ｌ軸に沿って初期色ＣＬ１から基準色ＣＬ２に移す範囲の指定を受け付ける。
【００６９】
ホスト装置１００は、保存ボタン８３０の操作を受け付けると、色相方向設定領域８１０において操作されたボタンに応じた調整方向Ｄ１、及び、明度方向設定領域８２０において操作された選択肢に応じた明度方向調整範囲（明方向調整範囲ＡＨ及び暗方向調整範囲ＡＬ）を確定させる。色相方向設定領域８１０への操作では、Ｌａｂ色空間（ＣＳ３）において仮想平面ＰＬ０に沿った調整方向Ｄ１が設定される。明度方向設定領域８２０の操作では、Ｌ軸に沿って初期色ＣＬ１から基準色ＣＬ２を移す範囲が設定される結果、初期色ＣＬ１に基づいて基準色ＣＬ２が決まる。
【００７０】
例えば、青系統の目標色を再現しようとする印刷物が黄色方向に暗くずれているとして、目標色に対応する調整点において再現色を青方向に明るく調整することを想定する。
ユーザーは、図９で示した調整方向設定画面８００において、チェックボックス８１８を操作して「隣接する方向をチャートに含める」を有効にさせ、Blueボタン８１５とMagentaボタン８１４とCyanボタン８１６を操作することにより、青領域とマゼンタ領域とシアン領域を選択し、調整方向Ｄ１を青方向（図１１Ｃの下方向）に設定することができる。単に、Blueボタン８１５を操作することにより、調整方向Ｄ１を青方向に設定することも可能である。
【００７１】
また、ユーザーは、明方向範囲選択領域８２１において「通常」を操作することにより明方向調整範囲ＡＨを通常に設定し、暗方向範囲選択領域８２２において「狭くする」を操作することにより暗方向調整範囲ＡＬを狭く設定することができる。
以上の操作後のカラーパッチ使用可能領域Ａ０を図１２に例示している。図１２に示すカラーパッチ使用可能領域Ａ０は、青領域とその両隣の領域に限定され、暗方向調整範囲ＡＬが明方向調整範囲ＡＨよりも狭くなっている。
【００７２】
調整方向Ｄ１、及び、調整範囲ＡＨ，ＡＬの設定後、ホスト装置１００は、カラーチャート元データを生成する（Ｓ１０８）。カラーチャート元データは、色選択用カラーチャートＣＨ０の各カラーパッチＰＣ０の色を被印刷物ＭＥ１に再現させるデータであり、初期色ＣＬ１の調整対象色パッチＰＡ１を含む第一のカラーチャートＣＨ１を表す元データ、及び、基準色ＣＬ２の基準色パッチＰＡ２を含む第二のカラーチャートＣＨ２を表す元データを含む。
【００７３】
図１３は、初期色ＣＬ１からのＬ軸方向における調整範囲ＡＨ，ＡＬに基づいて基準色ＣＬ２の明度Ｌを設定し、基準色ＣＬ２を含む仮想平面ＰＬ０を設定する様子を例示している。初期色ＣＬ１から暗方向調整範囲ＡＬの基準色ＣＬ２については、初期色ＣＬ１から明度差ΔＬ１ずつ低くなるように明度Ｌを設定している。ここで、ΔＬ１＞０である。初期色ＣＬ１から明方向調整範囲ＡＨの基準色ＣＬ２については、初期色ＣＬ１から明度差ΔＬ２ずつ高くなるように明度Ｌを設定している。ここで、ΔＬ２＞０である。図１３に示す例では、明方向調整範囲ＡＨよりも暗方向調整範囲ＡＬが狭いため、暗方向調整範囲ＡＬの基準色ＣＬ２の数は明方向調整範囲ＡＨの基準色ＣＬ２の数よりも少ない。また、基準色パッチＰＡ２を含む第二のカラーチャートＣＨ２を生成するために、基準色ＣＬ２を含む仮想平面ＰＬ０も設定している。
【００７４】
調整対象色パッチＰＡ１を含む第一のカラーチャートＣＨ１については、図４〜６に示すように、反調整方向Ｄ２の略端部に調整対象色パッチＰＡ１を配置し、ａ軸方向においてΔａ１の間隔、及び、ｂ軸方向においてΔｂ１の間隔となるように同じ明度Ｌの残りのカラーパッチＰＣ０を配置することになる。従って、調整対象色パッチＰＡ１から反調整方向Ｄ２よりも調整対象色パッチＰＡ１から調整方向Ｄ１の方が広くなるように同じ明度のカラーパッチＰＣ０が第一のカラーチャートＣＨ１に配置される。第一のカラーチャートＣＨ１の各カラーパッチＰＣ０は、初期色ＣＬ１を含む仮想平面ＰＬ０の色である。
【００７５】
基準色パッチＰＡ２を含む第二のカラーチャートＣＨ２については、第一のカラーチャートＣＨ１の調整対象色パッチＰＡ１と同じ位置関係となるように基準色パッチＰＡ２を配置し、ａ軸方向においてΔａ１の間隔、及び、ｂ軸方向においてΔｂ１の間隔となるように同じ明度Ｌの残りのカラーパッチＰＣ０を配置することになる。従って、基準色パッチＰＡ２から反調整方向Ｄ２よりも基準色パッチＰＡ２から調整方向Ｄ１の方が広くなるように同じ明度のカラーパッチＰＣ０が第二のカラーチャートＣＨ２に配置される。第二のカラーチャートＣＨ２は、基準色ＣＬ２の数の分、用意される。第二のカラーチャートＣＨ２の各カラーパッチＰＣ０は、基準色ＣＬ２を含む仮想平面ＰＬ０の色である。カラーチャートＣＨ１，ＣＨ２の各カラーパッチＰＣ０は、同じ位置においてＬａｂ色空間の明度Ｌが差ΔＬ１又はΔＬ２となるように配置される。
【００７６】
尚、配置予定のカラーパッチの色が選択された三角柱ＴＲ０（例えば図１２参照）の外となる場合は、該当のカラーパッチをカラーチャートＣＨ０に配置しなくてもよく、代わりにグレーパッチや破線枠といった本来のカラーパッチでないことを示す情報を付してもよい。
Ｓ１０８の処理では、調整対象色パッチＰＡ１を含む同じ明度ＬのカラーパッチＰＣ０の群、及び、各基準色パッチＰＡ２を含む同じ明度ＬのカラーパッチＰＣ０の群を被印刷物ＭＥ１に再現するカラーチャート元データが生成される。カラーチャート元データは、Ｌａｂ値で表されてもよいし、Ｌａｂ値とｃｍｙｋ値との対応関係を規定した出力プロファイル６２０に従ってｃｍｙｋ値に変換されてもよい。
【００７７】
カラーチャート元データの生成後、ホスト装置１００は、対象パッチＰＡ０を示す情報Ｍ１をカラーチャート元データに付加する（Ｓ１１０）。図４に示す第一のカラーチャートＣＨ１の場合、調整対象色パッチＰＡ１とは異なる色により、調整対象色パッチＰＡ１を囲む実線枠、及び、調整対象色パッチＰＡ１の直下において「現在の色」という文字がカラーチャート元データに付加される。図４に示す第二のカラーチャートＣＨ２の場合、基準色パッチＰＡ２とは異なる色により、基準色パッチＰＡ２を囲む破線枠、及び、基準色パッチＰＡ２の直下において「基準色」という文字がカラーチャート元データに付加される。
【００７８】
対象パッチを示す情報Ｍ１の付加後、ホスト装置１００は、調整方向Ｄ１を示す情報Ｍ２をカラーチャート元データに付加する（Ｓ１１２）。図４に示す第一のカラーチャートＣＨ１の場合、調整対象色パッチＰＡ１及びその近隣のカラーパッチＰＣ０とは異なる色により、調整対象色パッチＰＡ１から調整方向Ｄ１を示す矢印、及び、その矢印の近傍において「調整方向」という文字がカラーチャート元データに付加される。図４に示す第二のカラーチャートＣＨ２の場合、基準色パッチＰＡ２及びその近隣のカラーパッチＰＣ０とは異なる色により、基準色パッチＰＡ２から調整方向Ｄ１を示す矢印、及び、その矢印の近傍において「調整方向」という文字がカラーチャート元データに付加される。
【００７９】
調整方向を示す情報Ｍ２の付加後、ホスト装置１００は、修正されたカラーチャート元データを最終的なカラーチャートデータとしてインクジェットプリンター２００に送信して色選択用カラーチャートＣＨ０を印刷させ（Ｓ１１４）、色選択用カラーチャート印刷処理を終了させる。カラーチャートデータがｃｍｙｋ値で表されていない場合、例えば、Ｌａｂ値とｃｍｙｋ値との対応関係を規定した出力プロファイル６２０に従ってカラーチャートデータをｃｍｙｋ値に変換すればよい。カラーチャートデータを受信したプリンター２００は、対象パッチＰＡ０及び調整方向Ｄ１を示す情報Ｍ１，Ｍ２とともに対象パッチＰＡ０を含む複数のカラーパッチＰＣ０を有するカラーチャートＣＨ０を被印刷物ＭＥ１に印刷する。これにより、対象パッチＰＡ０から反調整方向Ｄ２よりも対象パッチＰＡ０から調整方向Ｄ１の方が広い色選択用カラーチャートＣＨ０の印刷物ＰＴ１が得られる。
【００８０】
図１４は、色選択用カラーチャートＣＨ０の作用を模式的に例示している。図１４の上部に示す色選択用カラーチャートＣＨ９の印刷物ＰＴ９のように、カラーパッチＰＣ０の群の中心（位置Ｃ３）に調整対象色パッチＰＡ１を配置する場合、カラーチャートＣＨ９から目標色に最も近い色のカラーパッチを探索する範囲ＡＲ９が限られる。図１４に示すカラーチャートＣＨ９では、調整対象色パッチＰＡ１から左上方向が探索する方向（調整したい方向）であるため、探索範囲ＡＲ９が調整対象色パッチＰＡ１を含めて横方向へ３個、及び、縦方向へ３個のカラーパッチに限られている。カラーチャートＣＨ９のうち探索範囲ＡＲ９を除くカラーパッチは、探索時に注目されない。
【００８１】
図１４の下部に示す色選択用カラーチャートＣＨ８の印刷物ＰＴ８のように、カラーパッチＰＣ０の群の反調整方向における略端部（位置Ｅ５）に調整対象色パッチＰＡ１を配置する場合、カラーチャートＣＨ８から目標色に最も近い色のカラーパッチを探索する範囲ＡＲ８が広がる。図１４に示すカラーチャートＣＨ８では、調整対象色パッチＰＡ１から左上方向が探索する方向（調整したい方向）であるため、探索範囲ＡＲ８が調整対象色パッチＰＡ１を含めて横方向へ５個、及び、縦方向へ５個のカラーパッチと増えている。
【００８２】
調整対象色パッチＰＡ１から反調整方向の側にあるカラーパッチは、選択される可能性が低い。調整対象色パッチＰＡ１から調整方向の側にあるカラーパッチは、選択される可能性が高い。探索範囲ＡＲ８が広がることにより、目標色に最も近い色のカラーパッチを見つけ易くなり、且つ、より目標色に近い色のカラーパッチを探索することが可能となる。
また、調整対象色パッチＰＡ１とは明度Ｌが異なる基準色パッチＰＡ２を含む第二のカラーチャートＣＨ２においても、探索範囲が広がっている。このため、目標色に最も近い色の明度が調整対象色パッチＰＡ１の明度とは異なる場合でも、目標色に最も近い色のカラーパッチを見つけ易くなり、且つ、より目標色に近い色のカラーパッチを探索することが可能となる。
【００８３】
以上より、本具体例は、目標のカラーパッチを探し易くする色選択用カラーチャートを提供することができる。
【００８４】
上述した色選択用カラーチャートＣＨ０は、プロファイル５００の調整に使用することができる。例えば、ＣＭＹＫ値とＬａｂ値との対応関係を規定した入力プロファイル６１０を調整する場合、図７で示した色選択用カラーチャート生成処理に従って、入力プロファイル調整用のカラーチャートＣＨ０を生成することができる。この場合、調整点Ｐ０を表すＬａｂ値（Ｌ０，ａ０，ｂ０）を初期色ＣＬ１に設定し、この初期色ＣＬ１の明度Ｌを間隔ΔＬ１，ΔＬ２となるように変えた基準色ＣＬ２を設定すれば、初期色ＣＬ１及び基準色ＣＬ２に基づいてカラーパッチＰＣ０をカラーチャートＣＨ１，ＣＨ２に配置することができる。Ｌａｂ値で表されたカラーチャート元データは、Ｌａｂ値とｃｍｙｋ値との対応関係を規定した出力プロファイル６２０に従ってｃｍｙｋ値に変換することができる。カラーチャートデータに従って生成される色選択用カラーチャートＣＨ０から目標色に最も近い色のカラーパッチが選択されると、選択されたカラーパッチを形成する元データのＬａｂ値（Ｌ０’，ａ０’，ｂ０’とする。）を取得することができる。調整点Ｐ０において入力プロファイル６１０の元のＬａｂ値（Ｌ０，ａ０，ｂ０）をＬａｂ値（Ｌ０’，ａ０’，ｂ０’）に置き換えると、入力プロファイル６１０が調整される。
【００８５】
むろん、出力プロファイル６２０、デバイスリンクプロファイル６３０、等のプロファイルの調整にも、同様にして、色選択用カラーチャートＣＨ０を使用することができる。また、プロファイルの調整以外にも、色選択用カラーチャートＣＨ０を使用することができる。
【００８６】
（６）変形例：
本発明は、種々の変形例が考えられる。
例えば、出力デバイスは、インクジェットプリンターに限定されず、レーザープリンターといった電子写真方式のプリンター、３次元プリンター、表示装置、等でもよい。
画像を形成する色材の種類は、Ｃ，Ｍ，Ｙ，Ｋに限定されず、Ｃ，Ｍ，Ｙ，Ｋに加えて、Ｌｃ、Ｌｍ、Ｙよりも高濃度のＤｙ（ダークイエロー）、Ｏｒ（オレンジ）、Ｇｒ（グリーン）、Ｋよりも低濃度のＬｋ（ライトブラック）、画質向上用の無着色の色材、等を含んでもよい。
ターゲットデバイスは、ターゲット印刷機に限定されず、表示装置等でもよい。
色選択用カラーチャートにカラーパッチを配置する基準の色空間は、Ｌａｂ色空間に限定されず、Ｒ軸とＧ軸とＢ軸を有するＲＧＢ色空間、Ｃ軸とＭ軸とＹ軸を有するＣＭＹ色空間、Ｃ軸とＭ軸とＹ軸とＫ軸を有するＣＭＹＫ色空間、等でもよい。
【００８７】
上述した処理は、順番を入れ替える等、適宜、変更可能である。例えば、図７の処理において、調整方向Ｄ１を示す情報Ｍ２を付加するＳ１１２の処理は、対象パッチＰＡ０を示す情報Ｍ１を付加するＳ１１０の処理の前に行うことが可能である。
上述した実施形態では六角柱状のカラーパッチ使用可能領域Ａ０を想定したが、カラーパッチ使用可能領域は直方体（立方体を含む。）等でもよい。
調整方向Ｄ１の設定の受け付けは、カラーサークルといったＧＵＩ（Graphical User Interface）によってもよい。また、調整方向Ｄ１を直接指定させるのではなく、カラーパッチの色がずれている方向をＧＵＩで指定させ、この方向に基づいてホスト装置１００が調整方向Ｄ１を算出してもよい。
第一のカラーチャートＣＨ１における調整対象色パッチＰＡ１の位置と、第二のカラーチャートＣＨ２における基準色パッチＰＡ２の位置とは、異なっていてもよい。
【００８８】
対象パッチから反調整方向よりも対象パッチから調整方向の方を広くする態様は、距離比｛Ｌ１／（Ｌ１＋Ｌ２）｝を０．４以下にすることに限定されない。
例えば、対象パッチから反調整方向の方にあるカラーパッチの数（Ｎ１とする。）よりも対象パッチから調整方向の方にあるカラーパッチの数（Ｎ２とする。）を多くしても（すなわちＮ１＜Ｎ２）、対象パッチから反調整方向よりも対象パッチから調整方向の方が広いといえる。図５，６に示す例では、Ｎ１＝１、及び、Ｎ２＝４であるので、対象パッチＰＡ０から反調整方向Ｄ２よりも対象パッチＰＡ０から調整方向Ｄ１の方が広いといえる。カラーパッチの数の比｛Ｎ１／（Ｎ１＋Ｎ２）｝は、０．４以下が好ましく、０．３以下がより好ましく、０．２以下がさらに好ましい。｛Ｎ１／（Ｎ１＋Ｎ２）｝≦０．１にすることも可能である。
【００８９】
また、調整方向Ｄ１及び反調整方向Ｄ２と直交し対象パッチＰＡ０の中心Ｃ０を通る直線でカラーチャートＣＨ０を２分し、前記直線から反調整方向Ｄ２の側におけるカラーチャートＣＨ０の面積よりも前記直線から調整方向Ｄ１の側におけるカラーチャートＣＨ０の面積の方を多くしてもよい。前記直線から反調整方向Ｄ２の側におけるカラーパッチＰＣ０の印字面積よりも前記直線から調整方向Ｄ１の側におけるカラーパッチＰＣ０の印字面積の方を多くしてもよい。さらに、カラーパッチを配置する基準の色空間における領域の大きさに基づいて対象パッチから反調整方向よりも対象パッチから調整方向の方を広くしてもよい。
【００９０】
対象パッチＰＡ０を示す情報Ｍ１は、図４で示した例に限定されず、図１５Ａ〜１５Ｄ，１６Ａ〜１６Ｄに示す情報等、様々な例が可能である。
図１５Ａは、対象パッチを示す情報Ｍ１として対象パッチＰＡ０を囲む実線枠を用いた例を示している。この実線枠は対象パッチＰＡ０に接しているが、実線枠は対象パッチＰＡ０から離れていてもよい。図１５Ｂは、対象パッチを示す情報Ｍ１として対象パッチＰＡ０を囲む破線枠を用いた例を示している。この破線枠は対象パッチＰＡ０から離れているが、対象パッチＰＡ０に接していてもよい。枠に用いる色は、対象パッチＰＡ０の色（初期色ＣＬ１又は基準色ＣＬ２）とば異なる色、例えば、逆色相の色や無彩色が好ましい。図４で示したように調整対象色パッチＰＡ１を実線枠で囲んで基準色パッチＰＡ２を破線枠で囲む等、調整対象色パッチＰＡ１と基準色パッチＰＡ２とで異なる枠が付されてもよい。
【００９１】
図１５Ｃは、調整対象色パッチを示す情報Ｍ１として文字を調整対象色パッチＰＡ１に付した例を示している。図１５Ｄは、基準色パッチを示す情報Ｍ１として文字を基準色パッチＰＡ２に付した例を示している。文字の場合も、対象パッチＰＡ０の色とは異なる色、例えば、逆色相の色や無彩色が好ましい。
【００９２】
図１６Ａは、対象パッチを示す情報Ｍ１として鉤状のマーカー（印の例）を対象パッチＰＡ０に付した例を示している。図１６Ｂは、対象パッチを示す情報Ｍ１として三角形状のマーカー（印の例）を対象パッチＰＡ０に付した例を示している。マーカーの場合も、対象パッチＰＡ０の色とは異なる色、例えば、逆色相の色や無彩色が好ましい。対象パッチＰＡ０が強調される表現であれば、マーカーの形状は問わない。
【００９３】
図１６Ｃ，１６Ｄは、対象パッチを示す情報Ｍ１として対象パッチＰＡ０を指し示す矢印を用いた例を示している。矢印の場合も、対象パッチＰＡ０の色とは異なる色、例えば、逆色相の色や無彩色が好ましい。
尚、上述した各種情報Ｍ１は、二種類以上組み合わされてカラーチャートＣＨ０に表されてもよい。
【００９４】
調整方向Ｄ１を示す情報Ｍ２も、図４で示した例に限定されず、図１７Ａ〜１７Ｄに示す情報等、様々な例が可能である。
図１７Ａは、調整方向を示す情報Ｍ２として矢印を用いた例を示している。この矢印は対象パッチＰＡ０から離れているが、矢印は対象パッチＰＡ０に接していてもよい。図１７Ｂは、調整方向を示す情報Ｍ２として矢印とともに文字を用いた例を示している。図１７Ｃは、調整方向を示す情報Ｍ２として文字のみを用いた例を示している。図１７Ｃに示す例では、対象パッチＰＡ０から「調整方向」という文字が付された方向が調整方向Ｄ１となる。図１７Ｄは、調整方向を示す情報Ｍ２として線（図１７Ｄでは斜めの破線）に加えてＬａｂ色空間のａ軸方向及びｂ軸方向を表す線Ｍ２ａ（図１７Ｄでは横向き及び縦向きの破線）を用いた例を示している。調整方向を示す情報Ｍ２としての矢印、文字、線、及び、色空間の軸方向を表す線に用いる色は、対象パッチＰＡ０の色とば異なる色、例えば、逆色相の色や無彩色が好ましい。
【００９５】
上述した各種情報Ｍ１，Ｍ２は、任意に組み合わせて使用することができる。例えば、図４で示したカラーチャートＣＨ０では、対象パッチを示す情報Ｍ１として対象パッチＰＡ０を囲む枠と対象パッチＰＡ０に付された文字が組み合わされ、調整方向Ｄ１を示す情報Ｍ２として矢印と文字が組み合わされている。
図１８に示すカラーチャートＣＨ０では、対象パッチＰＡ０を示す情報Ｍ１として対象パッチＰＡ０の四方に付された三角形状のマーカーが使用され、調整方向Ｄ１を示す情報Ｍ２として線（図１８では斜めの破線）、文字、及び、ａ軸方向及びｂ軸方向を表す線Ｍ２ａ（図１８では横向き及び縦向きの破線）が組み合わされている。
【００９６】
対象パッチを示す情報は、対象パッチであることが判る限り、無くてもよい。調整方向を示す情報も、調整方向が判る限り、無くてもよい。例えば、カラーチャートＣＨ０において対象パッチＰＡ０を残りのカラーパッチＰＣ０よりも大きくする等、残りのカラーパッチＰＣ０とは異なる態様にすると、カラーチャートＣＨ０の中で対象パッチＰＡ０を特定することができる。また、対象パッチＰＡ０がカラーチャートＣＨ０の略角部（角又はその近傍）にある場合、対象パッチＰＡ０からカラーチャートＣＨ０の対角への方向が調整方向Ｄ１となる。対象パッチＰＡ０がカラーチャートＣＨ０の略辺部（辺又はその近傍）の略中間部にある場合、対象パッチＰＡ０からカラーチャートＣＨ０の対辺の略中間部への方向が調整方向Ｄ１となる。
【００９７】
さらに、図９で示した色相方向設定領域８１０においてYellowボタン８１２とRedボタン８１３が操作され、図１１Ｂで示したように調整方向Ｄ１が右上方向に設定されたと仮定する。この場合、図１９に示すカラーチャートＣＨ０のように、対象パッチＰＡ０を起点としてイエロー方向と赤方向を含む約１２０°の扇状にカラーパッチＰＣ０をカラーチャートＣＨ０に配置してもよい。図１９に示すカラーチャートＣＨ０では、カラーパッチＰＣ０の扇状の配置から、対象パッチＰＡ０を特定することができ、対象パッチＰＡ０から該対象パッチＰＡ０を中心とする円弧の中間部にあるカラーパッチＰＤ１に向かう方向を調整方向Ｄ１と特定することができる。
【００９８】
さらに、図９で示した色相方向設定領域８１０においてYellowボタン８１２とRedボタン８１３とGreenボタン８１７が操作され、図１１Ｃで示したように調整方向Ｄ１が上方向に設定されたと仮定する。この場合、図２０に示すカラーチャートＣＨ０のように、対象パッチＰＡ０を起点としてイエロー方向と赤方向と緑方向を含む約１８０°の扇状にカラーパッチＰＣ０をカラーチャートＣＨ０に配置してもよい。図２０に示すカラーチャートＣＨ０でも、カラーパッチＰＣ０の扇状の配置から、対象パッチＰＡ０を特定することができ、対象パッチＰＡ０から該対象パッチＰＡ０を中心とする円弧の中間部にあるカラーパッチＰＤ１に向かう方向を調整方向Ｄ１と特定することができる。
【００９９】
ところで、図５，６で示したように対象パッチＰＡ０から反調整方向Ｄ２の側にカラーパッチＰＣ０を配置してもよいので、対象パッチＰＡ０から反調整方向Ｄ２におけるカラーチャートＣＨ０の端Ｅ１までの距離Ｌ１の程度を指定できるようにしてもよい。
【０１００】
図２１は、上記距離Ｌ１の程度の指定を受け付けるスライダーコントロール８４０を有する調整方向設定画面８００を示している。スライダーコントロール８４０は、上記距離Ｌ１の程度を感覚的に設定するための操作部であり、横向きのスライダーバー８４２に沿ってスライダー８４４を移動させる操作をすることが可能である。ホスト装置１００は、ユーザーにより操作されたスライダー８４４の位置に応じて上記距離Ｌ１を設定し、設定した距離Ｌ１となるように対象パッチＰＡ０をカラーチャートＣＨ０に配置し、プリンター２００にカラーチャートＣＨ０を印刷させる。
上記の例は、ユーザーの好みに応じてカラーチャートＣＨ０の各カラーパッチＰＣ０を見易くすることができ、目標のカラーパッチを探し易くすることができる。
【０１０１】
尚、図２２に例示する印刷物ＰＴ１のように、一枚の被印刷物ＭＥ１に複数の色選択用カラーチャートＣＨ０が形成された場合も、本技術に含まれる。ここで、各カラーチャートＣＨ０に含まれる複数のカラーパッチＰＣ０については、横方向及び縦方向に間隔ΔＬｐ（ΔＬｐ＞０）を空けてカラーチャートＣＨ０内に配置されている。間隔ΔＬｐは、横方向と縦方向とで違ってもよく、０とすることも可能である。カラーチャートＣＨ０同士は、横方向に間隔ΔＬｃを空けて被印刷物ＭＥ１に配置されている。この間隔ΔＬｃは、カラーパッチ同士の間隔ΔＬｐよりも広い。ΔＬｃ＞ΔＬｐである場合、一枚の被印刷物ＭＥ１に複数の色選択用カラーチャートＣＨ０が形成されているといえる。被印刷物ＭＥ１に配置されるカラーチャートＣＨ０は、図２２に示すように第一のカラーチャートＣＨ１と一以上の第二のカラーチャートＣＨ２との組合せでもよいし、二以上の第二のカラーチャートＣＨ２でもよい。
【０１０２】
各カラーチャートＣＨ０においては、対象パッチＰＡ０から反調整方向Ｄ２におけるカラーチャートＣＨ０の端Ｅ１までの距離Ｌ１が、対象パッチＰＡ０から調整方向Ｄ１におけるカラーチャートＣＨ０の端Ｅ２までの距離Ｌ２よりも短くなっている。従って、各カラーチャートＣＨ０において、対象パッチＰＡ０から反調整方向Ｄ２よりも対象パッチＰＡ０から調整方向Ｄ１の方が広い。
上記印刷物ＰＴ１でも、目標のカラーパッチを探し易くすることができる。
【０１０３】
（７）結び：
以上説明したように、本発明によると、種々の態様により、目標のカラーパッチを探し易くすることが可能な技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【０１０４】
１００…ホスト装置（色選択用カラーチャート生成装置の例）、１１４…記憶装置、１１５…表示装置、１１６…入力装置、２００…プリンター、３００…ターゲット印刷機、４００…ＲＩＰ、５００…プロファイル、６１０…入力プロファイル、６２０…出力プロファイル、６３０…デバイスリンクプロファイル、８００…調整方向設定画面、８１０…色相方向設定領域、８１２…Yellowボタン、８１３…Redボタン、８１４…Magentaボタン、８１５…Blueボタン、８１６…Cyanボタン、８１７…Greenボタン、８２０…明度方向設定領域、８２１…明方向範囲選択領域、８２２…暗方向範囲選択領域、８３０…保存ボタン、Ａ０…カラーパッチ使用可能領域、ＡＨ…明方向調整範囲、ＡＬ…暗方向調整範囲、ＣＨ０…カラーチャート、ＣＨ１…第一のカラーチャート、ＣＨ２…第二のカラーチャート、ＣＬ１…初期色（調整対象の色の例）、ＣＬ２…基準色、ＣＳ１…第一の色空間、ＣＳ２…第二の色空間、ＣＳ３…プロファイル接続空間、ＣＳ４…入力色空間、ＣＳ５…出力色空間、Ｃ０…対象パッチの中心、Ｄ１…調整方向、Ｄ２…反調整方向、Ｅ１，Ｅ２…カラーチャートの端、Ｍ１…対象パッチを示す情報、Ｍ２…調整方向を示す情報、Ｍ２ａ…軸方向を表す線、Ｐ０…調整点、ＰＡ０…対象パッチ、ＰＡ１…調整対象色パッチ、ＰＡ２…基準色パッチ、ＰＣ０…カラーパッチ、ＰＬ０…仮想平面、ＰＲ０…色選択用カラーチャート生成プログラム、ＳＴ１…色指定工程、ＳＴ２…調整方向設定工程、ＳＴ３…パッチ配置工程。
【図１】
2019009556.tif 000003
【図２】
2019009556.tif 000004
【図３】
2019009556.tif 000005
【図４】
2019009556.tif 000006
【図５】
2019009556.tif 000007
【図６】
2019009556.tif 000008
【図７】
2019009556.tif 000009
【図８】
2019009556.tif 000010
【図９】
2019009556.tif 000011
【図１０】
2019009556.tif 000012
【図１１】
2019009556.tif 000013
【図１２】
2019009556.tif 000014
【図１３】
2019009556.tif 000015
【図１４】
2019009556.tif 000016
【図１５】
2019009556.tif 000017
【図１６】
2019009556.tif 000018
【図１７】
2019009556.tif 000019
【図１８】
2019009556.tif 000020
【図１９】
2019009556.tif 000021
【図２０】
2019009556.tif 000022
【図２１】
2019009556.tif 000023
【図２２】
2019009556.tif 000024